(57)【要約】【課題】乾電池の使用推奨期限を示す期限表示を見やすい位置に配して、消費者に適正な商品情報を提供する。【解決手段】メーカー名４などが印刷してある乾電池１のフェイス面６に、使用推奨期限を示す期限表示７を入れる。パック電池１０の場合には、各乾電池１のフェイス面６と、パック電池１０の正面側表面とのいずれか一方に使用推奨期限を示す期限表示７を設ける。【選択図】　　　　図１
2004103382.tif 000002
【特許請求の範囲】
【請求項１】
乾電池のフェイス面に、使用推奨期限を示す期限表示が設けられていることを特徴とする乾電池。
【請求項２】
前記期限表示が、前記乾電池のフェイス面の中央に表示されており、
前記フェイス面における前記期限表示の占める面積が、前記フェイス面の面積の１〜４０％である請求項１記載の乾電池。
【請求項３】
前記期限表示が、前記乾電池の前記フェイス面の上下いずれか一方の端部に設けられている請求項１記載の乾電池。
【請求項４】
複数個の乾電池が、各乾電池のフェイス面が正面を向く状態で、包装材でひとまとめに包装されているパック電池であって、
前記各乾電池の前記フェイス面と、前記パック電池の正面側表面とのいずれか一方に、使用推奨期限を示す期限表示が設けられていることを特徴とするパック電池。
【請求項５】
前記各乾電池の前記フェイス面に、それぞれ使用推奨期限を示す前記期限表示が設けられており、
前記包装材が透明なプラスチック材で構成されている請求項４記載のパック電池。
【請求項６】
前記パック電池の前記包装材の表面に、前記乾電池の使用推奨期限を示す前記期限表示が設けられている請求項４または５記載のパック電池。
【発明の詳細な説明】
【０００１】
【発明の属する技術分野】
この発明は、単体で販売される乾電池、または複数個の乾電池をひとまとめに包装した状態で販売に供されるパック電池に関する。
【０００２】
【従来の技術】
この発明に関して、複数個の電池を熱収縮性のフィルムでひとまとめに包装して販売に供することは公知である（例えば特許文献１）。電池の表面には、メーカー名や電池の種類などを印刷したフェイス面が設けられるが、電池をパック包装する際に、個々の電池のフェイス面が前面を向くようにそろえて包装することも公知である（特許文献２参照）。そこでは、包装されたパック電池をブリスターパックで再包装して販売に供している。
【０００３】
【特許文献１】
特開２００２−９６８６５号公報（段落番号００１２−００１７、図１）
【特許文献２】
特許第３００４９１３号公報（段落番号００２６、図２）
【０００４】
【発明が解決しようとする課題】
一般に食料品には賞味期限が表記される。薬品などには有効期限が明記されている。自己放電によって電圧が徐々に低下する乾電池も例外ではなく、使用推奨期限が刻印や印刷によって表示してある。しかし、従来の使用推奨期限は電池表面の目立たない部分に小さく表示されており、注意して探さない限り目にすることはない。とくに、パック電池の場合には、乾電池のフェイス面を正面に揃えて包装するため、電池どうしが隣接する側に先の表示が隠れてしまいやすく、パック電池を購入する際にその使用推奨期限を知ることは難しい。シュリンク包装やブリスターパックを開封すると、使用推奨期限を知ることはできるが、使用推奨期限が近いために返品されたとしても、パック電池として再度販売することはできなくなる。
【０００５】
この発明の目的は、乾電池を単体で販売する場合はもちろんのこと、パック化した状態で販売する場合にも、使用推奨期限を明確に表示でき、従って消費者に適正な商品情報を提供できる乾電池およびパック電池を提供することにある。
【０００６】
【課題を解決するための手段】
この発明においては、図１に示すごとく乾電池１のフェイス面６に使用推奨期限を示す期限表示７が設けてあることを特徴とする。
【０００７】
具体的には、期限表示７を乾電池１のフェイス面６の中央に表示する。その場合に、フェイス面６における期限表示７の占める面積は、フェイス面６の面積の１〜４０％となるようにする。この期限表示７は乾電池１のフェイス面６の上下いずれか一方の端部に設けてもよい。
【０００８】
この発明のパック電池は、図４に示すごとく複数個の乾電池１が、各乾電池１のフェイス面６が正面を向く状態で、包装材８でひとまとめに包装してある。各乾電池１のフェイス面６と、パック電池１０の正面側表面とのいずれか一方に、使用推奨期限を示す期限表示７が設けてあることを特徴とする。
【０００９】
その各乾電池１のフェイス面６には、それぞれ使用推奨期限を示す期限表示７を設け、包装材は透明なプラスチック材で構成することができる。パック電池１０の包装材８の表面に、乾電池１の使用推奨期限を示す期限表示７を設けてもよい。
【００１０】
【発明の作用効果】
この発明では、メーカー名４などが印刷してある、乾電池１のフェイス面６に使用推奨期限を示す期限表示７を設けるので、期限表示７が目に付きやすい。従って、従来の乾電池に比べて、期限表示７が明確であって、消費者に適正な商品情報を提供できる。
【００１１】
フェイス面６における期限表示７の占める面積が、フェイス面６の面積の１〜４０％とするのは、期限表示７を目に付きやすくしながら、メーカー名４などの主要な印刷表示を顕著に表示するためである。期限表示７の占める面積が１％以下であると、従来の使用推奨期限と同様に、期限表示を注意して探さない限り目にすることが困難となる。また、期限表示７の占める面積が４０％を越えるとメーカー名４の表示領域が極端に小さくなり、消費者に対する訴求力を充分に発揮できない。
【００１２】
期限表示７が乾電池１のフェイス面６の上下いずれか一方の端部に設けられていると、従来の印刷表示、例えばメーカー名４などの主要な印刷表示を変更する必要もなく、期限表示７を見やすい位置に配置でき、過去の商品イメージを継承しながら使用推奨期限を明確に表示できる。
【００１３】
パック電池１０の正面側表面と、パック電池１０を構成する乾電池１のフェイス面６とのいずれか一方に使用推奨期限を示す期限表示７が設けられていると、包装材８を開封するまでもなく期限表示７を明確に確認できる。つまり期限表示７を見やすい位置に明確に表示して、消費者に適正な商品情報を提供できる。
【００１４】
パック電池１０を構成する乾電池１のフェイス面６に、それぞれ使用推奨期限を示す期限表示７が設けられていると、透明な包装材８を介して期限表示７を見ることができるので、包装材８を開封しなくても期限表示７を確認できる。期限表示７の外面が包装材８で覆われるので、期限表示７が書き換えられるなどのいたずらを受け難い。
【００１５】
パック電池１０の包装材８の表面に、乾電池１の使用推奨期限を示す期限表示７が設けられていると、乾電池１の大きさとは無関係に期限表示７を大きく表示できる。乾電池１側にも期限表示７を設けてあると、包装材８を開封して乾電池１がばらばらになった状態においても、その使用推奨期限を確認できる。包装材８は不透明のシートや、着色印刷されたシートなどで形成できるので、包装材８のデザインの自由度が向上する。
【００１６】
【実施例】
図１および図２はこの発明に係る乾電池の実施例を示す。図１において、乾電池１は単３仕様の筒形電池からなり、金属缶の内部に電解質と集電体を封入してあり、その上端に正極端子２を、下端に負極端子３をそれぞれ設けてある。
【００１７】
図１および図２において乾電池１の外周面には、メーカー名４、正極端子２を表わす指標５、電池の仕様、使用上の注意事項などが印刷されており、メーカー名４を印刷した個所がフェイス面６の中央部に位置している。フェイス面６は乾電池１の外周面の半分を占める。
【００１８】
乾電池１の使用推奨期限を明確に表示するために、フェイス面６の中央部分には期限表示７が設けられている。この期限表示７は、「使用推奨期限（月−年）」の文字と、「０７−２００４」の期限数字とで構成されており、メーカー名４の下側に隣接して配されている。このように期限表示７が乾電池１のフェイス面６の中央に表示されていると、使用推奨期限を明確に表示でき、従って消費者に適正な商品情報を提供できる。
【００１９】
フェイス面６における期限表示７の占める面積は、フェイス面６の面積の概ね１〜４０％とすることが好ましい。期限表示７の占める面積が１％以下であると、従来の使用推奨期限と同様に、期限表示を注意して探さない限り目にすることが困難となる。また、期限表示７の占める面積が４０％を越えるとメーカー名４の表示領域が極端に小さくなり、消費者に対する訴求力を充分に発揮できないからである。
【００２０】
乾電池１の外周面に設けられる、メーカー名４、正極端子２を表わす指標５、電池の仕様、使用上の注意事項と、期限表示７の「使用推奨期限（月−年）」の文字などは、乾電池１の製造過程の前段工程で印刷されるが、期限表示７の期限数字は、先の印刷表示とは別に、乾電池１の製造過程の終段において例えばインクジェット法によって印刷される。このインクジェット法による印刷を明瞭化するために、期限表示７の全体をインクを吸収しやすい印刷層で形成しておくことができる。
【００２１】
期限表示７は、図３（ａ）〜（ｃ）に示すように表示することができる。図３（ａ）では、「０７−２００４」の期限数字のみで期限表示７を構成して、「使用推奨期限（月−年）」の文字は、別の個所にメーカー名４などとともに印刷した。
【００２２】
図３（ｂ）では、「使用推奨期限（月−年）」の文字と、「０７−２００４」の期限数字とで構成した期限表示７を、乾電池１のフェイス面６の上端部に横書き表示した。この場合の期限表示７は、先の実施例の期限表示７に比べて小さいが、直径寸法が比較的大きな単１から単３仕様の乾電池に適用すると、フェイス面６自体の面積が大きいので、期限表示７を問題なく明示できる。
【００２３】
図３（ｃ）では、期限表示７を乾電池１のフェイス面６の下端部に横書き表示した点が、図３（ｂ）の乾電池１とは異なる。
【００２４】
図４は、４個の乾電池１を、各乾電池１のフェイス面６が正面を向く状態で、透明の包装材８でひとまとめに包装したパック電池１０を示す。詳しくは、熱収縮性のフィルムを包装材８にして、４個の乾電池１をシュリンクパックしてパック電池１０を構成した。この場合の乾電池１は、図３（ｂ）で説明した乾電池であって、そのフェイス面６の中央上端に期限表示７が印刷されている。期限表示７は透明の包装材８を介して、パック電池１０の外面から明確に見ることができるので、期限表示７を認めるのに包装材８を開封する必要はない。
【００２５】
図５は、８個の乾電池１を、各乾電池１のフェイス面６が正面を向く状態で、透明の包装材８でひとまとめに包装したパック電池１０を示す。このパック電池１０は、上記のパック電池１０と同様に、熱収縮性のフィルムを包装材８にして、８個の乾電池１をシュリンクパックしてパック電池１０を構成した。この場合の乾電池１は、図３（ｃ）で説明した乾電池であって、そのフェイス面６の中央下端に期限表示７が印刷してある。この実施例の電池パック１０も、透明の包装材８を介してパック電池１０の外面から期限表示７を明確に見ることができる。
【００２６】
パック電池１０においては、各乾電池１のフェイス面６と、パック電池１０の正面側表面との、少なくともいずれか一方に使用推奨期限を示す期限表示７が設けてあればよいが、各乾電池１のフェイス面６に期限表示７を設けることが好ましい。さらに好ましくは、各乾電池１のフェイス面６に期限表示７を設けたうえで、包装材８の表面にも期限表示７を設ける。この場合の期限表示７は、包装材８に印刷によって形成するか、期限表示７が表示されたラベルやシールを包装材８に貼り付けて形成するとよい。
【００２７】
上記の実施例以外に、期限表示７の表現形式は実施例で説明した内容に限られず、例えば西暦表示に換えて元号で年度を表示することができる。必要があれば、期限表示７に乾電池１の製造年月日や生産ロット番号等を併記することができる。乾電池１は箱形電池やボタン電池であってもよいが、とくに小形のボタン電池の場合には、ブリスターパックなどの包装体に期限表示７を印刷しておくと見やすさを向上できる。
【図面の簡単な説明】
【図１】乾電池の正面図である。
【図２】乾電池の印刷面の展開図である。
【図３】（ａ）〜（ｃ）はそれぞれ期限表示の入れ方を異ならせた別実施例を示す正面図である。
【図４】パック電池の正面図である。
【図５】パック電池の別実施例を示す正面図である。
【符号の説明】
１　乾電池
６　フェイス面
７　期限表示
８　包装材
１０　パック電池
【図１】
2004103382.tif 000003
【図２】
2004103382.tif 000004
【図３】
2004103382.tif 000005
【図４】
2004103382.tif 000006
【図５】
2004103382.tif 000007